(57)【要約】【課題】本発明では、赤外線で不特定多数の携帯端末に向け赤外線データ情報配信サービスを行なう手法、当該システム及び受信端末の実施方法を提供することである。【解決手段】赤外線送信装置２０は、上位管理サーバ１０から暗号化された配信コンテンツを取得し、各配信コンテンツを単方向赤外線データ配信方式で配信する。携帯受信端末３０は、配信されたコンテンツデータを解読し、コンテンツ記憶装置３３に保存し、表示させる。上位管理サーバ１０には、コンテンツサーバ１３、コンテンツ入力管理マネージャ１１、赤外線送信装置認証管理サーバ１２、暗号処理マネージャ１４、携帯受信端末の受信許可を管理する携帯受信端末の登録・認証・管理サーバ１５がある。【選択図】図１
2006020008.tif 000002
【特許請求の範囲】
【請求項１】
単方向赤外線データ配信方式でコンテンツ関連情報を配信する赤外線送信装置と、単方向赤外線データ配信方式でコンテンツ関連情報を受信する携帯端末と、コンテンツ関連情報の入力更新機能を備えるクライアントと、配信コンテンツ関連情報の管理・記憶機能とコンテンツ関連情報の暗号化処理機能と赤外線送信装置の認証管理機能と携帯端末の認証管理機能とを備える上位管理サーバとによって構成されることを特徴とする赤外線データ配信システム。
【請求項２】
請求項１の発明において、コンテンツ関連情報を携帯電話などの携帯受信端末に配信するインターフェイスが、単方向赤外線データ配信方式で構成されたことを特徴とする赤外線データ配信システム。
【請求項３】
請求項１の発明において、単方向赤外線データ配信方式でコンテンツ関連情報を受信する携帯電話など携帯受信端末が上位管理サーバの通信手段とするワイヤレス通信インターフェイスを備えることを特徴とする赤外線データ配信システム。
【請求項４】
請求項１の発明において、コンテンツ関連情報又はその情報のリンクを記憶し管理する機能を備えるコンテンツサーバと、赤外線送信装置を管理・制御する機能を備える赤外線送信装置管理サーバと、受信携帯端末の登録と認定および管理機能を備える受信登録管理サーバと、コンテンツ入力管理機能を備えるコンテンツ入力管理サーバと、配信コンテンツデータの暗号化処理を行う機能を備える上位管理サーバとを有することを特徴とする赤外線データ配信システム。
【請求項５】
請求項１の発明において、ネットワークを接続する機能を備えるネットワーク通信インターフェイスと、コンテンツ関連データを貯蓄する機能を備える記憶装置と、携帯電話など携帯端末へ単方向赤外線データ配信方式で配信できる機能を備える赤外線送信インターフェイスとを備える赤外線送信装置を有することを特徴とする赤外線データ配信システム。
【請求項６】
請求項１の発明において、単方向赤外線データ配信方式でデータを受信できる機能を備える赤外線受信インターフェイスと、受信データを保存する機能を備える記憶装置と、受信データの解読と分類など処理を行う機能を備える配信データ処理装置と、受信データを表示する機能を備えるコンテンツ表示装置とを備える携帯端末を有することを特徴とする赤外線データ配信システム。
【請求項７】
上位管理サーバとコンテンツ関連情報と、またはその情報のリンク情報を記憶・管理する方法と、赤外線送信装置を管理・制御・認証する方法と、受信携帯端末の登録と認定を行う方法と、配信コンテンツ入力管理方法と、配信コンテンツデータ暗号化方法とによって構成されるコンテンツ関連情報提供方法。
【請求項８】
赤外線送信装置と、ネットワークを経由して上位管理サーバから配信コンテンツ関連情報を受信する方法と、受信したコンテンツ関連情報を記憶する方法と、単方向赤外線データ配信方式でコンテンツ関連情報を配信する方法とによって構成されるコンテンツ関連情報提供方法。
【請求項９】
赤外線受信機能を備える携帯端末と、単方向赤外線データ配信方式で配信されるコンテンツ関連情報を受信する方法と、暗号化されたコンテンツを解読する方法と、コンテンツ関連情報を記憶する方法と、コンテンツ関連情報を表示する方法とによって構成されるコンテンツ関連情報提供方法。
【請求項１０】
請求項１の発明において、上位管理サーバと複数の赤外線配信装置がネットワークに接続されていることを特徴とするコンテンツ関連情報提供システム。
【請求項１１】
請求項１の発明において、携帯端末の配信データの受信許可と赤外線配信装置の配信許可を上位の管理サーバで管理できることを特徴とするコンテンツ関連情報提供システム。
【請求項１２】
請求項１の発明において、赤外線配信装置が設置された位置情報を含む情報を提供できることを特徴とするコンテンツ関連情報提供システム。
【請求項１３】
請求項１の発明において、赤外線配信装置の設置方法によって、特定の配信エリアを得られることを特徴とするコンテンツ関連情報提供システム。
【請求項１４】
請求項１の発明において、携帯受信端末で配信されたコンテンツ関連情報の利用状況または課金情報を課金レコードとして作成し、赤外線以外のワイヤレス通信経路で上位管理サーバに提供できることを特徴とするコンテンツ関連情報提供システム。
【請求項１５】
請求項１の発明において、単方向赤外線データ配信方式の受信機能を有することを特徴とする携帯受信端末。
【請求項１６】
請求項１の発明において、携帯受信端末の操作性を改善するために、ユーザの操作と閲覧コンテンツの相関性を用いるユーザ動作の予測機能を搭載することを特徴とする携帯受信端末。
【発明の詳細な説明】
【技術分野】
【０００１】
本発明は、インターネット等のネットワーク上にあるコンテンツデータを，高い通信速度と安定性をもつ単方向赤外線データ配信方式を用いて、携帯情報端末などへ、コンテンツ関連情報を効率よく提供する配信方法と配信システム及び受信用の携帯情報端末に関するものである。
【背景技術】
【０００２】
携帯情報端末向けの通信手段として、携帯電話やＰＨＳや無線ＬＡＮやBluetoothなど無線電波を利用するワイヤレスモバイル通信などが注目されている。しかし、利用者によるアクセスが同時に多発し混在した場合に、アクセスポイントの処理制限または無線周波数帯域に制限があることから、結局、実質的な接続速度の低下または接続不能の問題が生じていた。ホットスポットにおいては、無線ＬＡＮなどのモバイル向けアクセスポイントを増加させることで、上記の問題を改善できるが、電波の干渉問題は回避できない。また、無線のワイヤレス高速通信の普及によって、利用できる無線電波の資源の限界が認識されつつある。だから、新しい通信メディアの開拓が情報社会にとって、とても重要である。ここでは、赤外線が大きく注目すべきメディアである。
特許出願2004-77857には、上記の問題を解決する方法として、単方向赤外線データ配信方式とシステムの技術を開示した。単方向赤外線データ放送方式は、従来のIrDA赤外線通信方式と比べ、１対不特定多数への配信と長い通信距離の通信に対応できる方式である。また、赤外線が持つ指向性などの特徴により、空間上の干渉を容易に管理することができ、多数の受信エリアを容易に設定することが可能である。
【発明の開示】
【発明が解決しようとする課題】
【０００３】
携帯電話を代表とする高性能低価格携帯端末が急速に普及していくことによって、無線電波以外のワイヤレスサービスの多様化が期待される。本発明は、赤外線の特徴を生かして、不特定多数の携帯端末に向け、高速かつ安定的にワイヤレス情報配信サービスを行なう方法、配信システム及び受信端末の実施方法を提供する。
本発明によって、人の集まる場所において、高速かつ安定的に不特定多数の携帯端末に向け、大容量コンテンツ関連情報の一斉高速配信が可能になる。さらに、赤外線の指向性などの特徴によって、赤外線データ配信エリアの精密な設定が可能である。また、無線電波通信がサービス提供できない地域、あるいは位置情報に密着する地域での情報配信など、従来とは異なる多数の新しいサービスが可能になる。
【課題を解決するための手段】
【０００４】
この発明に関わるコンテンツ関連情報提供システムは、コンテンツ関連情報記憶および管理機能と配信コンテンツ入力管理機能と配信コンテンツ関連情報の暗号化機能と赤外線配信装置の管理制御機能と携帯受信端末受信登録と認証管理機能などとを備える上位管理サーバと、単方向赤外線データ配信方式をもちいる下位赤外線配信装置と赤外線受信機能と暗号化されたコンテンツ解読機能とを備える携帯端末とを有するようにしたものである。
上位管理サーバは、コンテンツ関連情報又はその情報のリンク先を記憶・管理する機能を備えるコンテンツサーバと、赤外線送信装置を管理・制御する機能を備える赤外線送信装置管理サーバと、携帯受信端末の登録と認定の管理機能を備える受信登録管理サーバ、コンテンツ入力管理機能を備えるコンテンツ入力管理サーバと、配信コンテンツデータの暗号化処理を行う機能を備える暗号処理サーバと、を有するようにしたものである。
単方向赤外線データ配信方式は、放送型の単方向赤外線データ通信方式である。双方向データ通信とは異なり、送信端末がデータを配信する時に、受信端末からの受信応答は必要ではない。よって、不特定多数の受信端末が一斉に赤外線配信方式で配信データを受信することが可能である。また、長い配信距離と広い配信エリアの設定が可能である。
赤外線送信装置は、ネットワーク接続する機能を備えるネットワーク通信インターフェイスと、コンテンツ関連データを蓄積する機能を備える記憶装置と、携帯電話などの携帯受信端末へ赤外線データ配信方式で配信できる機能と、を備える赤外線送信インターフェイスを有するようにしたものである。
上位管理サーバは、赤外線送信装置と通信するネットワークインターフェイスを有するようにしたものである。この通信ネットワークインターフェイスを通信手段として、コンテンツ関連情報データの提供及びほかの関連管理情報の伝送を実現する。
赤外線送信装置は、上位管理サーバと通信するネットワークインターフェイスを有するようにしたものである。この通信ネットワークインターフェイスを通信手段として、コンテンツ関連情報データの取得及びほかの関連管理情報の伝送を実現する。
単方向赤外線データ配信方式の受信機能を備える携帯受信端末は、単方向赤外線データ配信方式でデータを受信できる機能を備える赤外線受信インターフェイスと、受信データを保存する機能を備える記憶装置と、受信データの解読と分類など処理を行う機能を備える配信データ処理装置と、受信データを表示する機能を備えるコンテンツ表示装置とを有するようにしたものである。
携帯受信端末は、上位管理サーバと通信できる赤外線以外のネットワークにアクセス可能なワイヤレス通信インターフェイスを有するようにしたものである。この通信ネットワークインターフェイスを通信手段で、上位管理サーバから、赤外線データ放送で配信されるコンテンツ関連情報データの暗号解読及び閲覧の認証関連情報の取得及び閲覧記録や課金情報などを上位管理サーバへ伝送を実現する。
上位管理サーバは、コンテンツ関連情報とその情報のリンク情報を記憶・管理する方法と、赤外線送信装置を管理・制御・認証する方法と、携帯受信端末の登録と認定を行う方法と、配信コンテンツ入力管理方法と、配信コンテンツデータ暗号化方法とを有するようにしたものである。
赤外線送信装置は、ネットワーク通信インターフェイスで上位管理サーバから配信コンテンツ関連情報を受信する方法と、受信したコンテンツ関連情報を記憶する方法と、単方向赤外線データ配信方式でコンテンツ関連情報を配信する方法とを有するようにしたものである。
赤外線受信機能を備える携帯端末は、単方向赤外線データ配信方式で配信されるコンテンツ関連情報を受信する方法と、暗号化されたコンテンツを解読する方法と、コンテンツ関連情報を記憶する方法と、コンテンツ関連情報を表示する方法とを有するようにしたものである。
この発明に関わるコンテンツ関連情報提供システムは、上位管理サーバと複数の赤外線配信装置がネットワークに接続されていることを特徴とするものである。
この発明に関わるコンテンツ関連情報提供システムは、携帯受信端末の配信データの受信許可と赤外線配信装置の配信許可を上位の管理サーバで管理できることを特徴とするものである。
赤外線の指向性による精密な配信エリアの設定ができるから、この発明に関わるコンテンツ関連情報提供システムは、赤外線配信装置が設置された位置に関連する情報を提供できることを特徴とするものである。
この発明に関わるコンテンツ関連情報提供システムは、赤外線の指向性と赤外線配信装置の設置方法及び赤外線散光器によって、特定の配信エリアを得られることを特徴とするものである。
この発明に関わるコンテンツ関連情報提供システムは、携帯受信端末に配信されたコンテンツ関連情報の利用状況または課金情報をもとにする課金レコードを作成し、赤外線以外のワイヤレス通信手段で上位管理サーバに提供できることを特徴とするものである。
この発明に関わる携帯受信端末は、単方向赤外線データ配信方式の受信機能を有することを特徴とするものである。
この発明に関わる携帯受信端末は、携帯受信端末の操作性を改善するために、ユーザの操作記録と閲覧コンテンツの相関性を用いてユーザ動作の予測機能を搭載することを特徴とするものである。この機能搭載によって、多数のコンテンツから少ない操作で、ユーザの閲覧習慣に合い、かつ閲覧される確率が高いコンテンツの迅速な検索と表示を実現できる。また、この機能の搭載によって、携帯受信端末のカスタマイズ化を実現するための方法を提供した。
【発明の効果】
【０００５】
この発明によれば、急速に普及している携帯情報端末に向け、コンテンツに関する情報の高速かつ安定的な配信と様々な新しいサービスの提供が１対不特定多数で実現できるようになる。また、赤外線の特徴である指向性によって、赤外線配信エリアの設定が簡単に実現できることから、場所又は地域に依存する情報提供手段として応用できる。更に、細かい受信エリアの設定による位置情報とそれに関連する情報の配信も可能とする。よって、赤外線データ放送は、新しいメディアとして移動体通信事業者などに膨大なビジネスチャンスをもたらすことが可能である。
【発明を実施するための最良の形態】
【０００６】
以下，本発明の実施形態について，図面を参照して説明する。図１は，本発明の配信方法とシステムの基本構成を示すブロック図である。ただし、これは単に本発明をより分かり易く説明するためのものであるから、本発明の応用を限定するものではない。
図１において、１０、２０、３０、４０はそれぞれ上位管理サーバ、赤外線送信装置、携帯受信端末、コンテンツ管理クライアントを表す。
上位管理サーバ１０には、コンテンツ関連情報およびそのリンク先を納めるコンテンツサーバ１３と、コンテンツ入力・更新を管理するコンテンツ入力管理マネージャ１１と、赤外線送信装置を管理する赤外線送信装置認証管理サーバ１２と、配信コンテンツ関連情報の暗号処理を行う暗号処理マネージャ１４と、携帯受信端末の受信許可を管理する携帯受信端末登録・認証・管理サーバ１５とがある。
赤外線送信装置２０には、上位管理サーバ１０から配信コンテンツ関連情報を取得するためのネットワーク通信インターフェイス２１と、配信コンテンツを保存するコンテンツ記憶装置２３と、コンテンツの配信を制御して赤外線データ配信方式のプロトコルに合わせて配信コンテンツデータを変換することを行う配信データ処理制御装置２２と、単方向赤外線データ配信方式でコンテンツデータを送信できる赤外線送信インターフェイス２４とがある。
携帯受信端末３０には、上位管理サーバから受信と閲覧管理を受けるための赤外線以外のワイヤレス通信機能を備えるネットワーク通信インターフェイス３２と、赤外線送信装置から暗号化されたコンテンツデータを受信できる赤外線受信インターフェイス３１と、受信したコンテンツの解読、分類、保存など処理を行うコンテンツ処理装置３４と、解読されたコンテンツを保存するコンテンツ記憶装置３３とがある。
コンテンツ管理クライアント４０は、コンテンツ関連情報を入力・更新するインターフェイスを有するプログラムである。
配信コンテンツ関連情報は、コンテンツ関連管理マネージャ１１を経由して、コンテンツ管理クライアント４０から入力され、コンテンツサーバ１３に保存される。
事前に上位管理サーバに登録・認証されることによって、赤外線送信装置２０は、送信装置認証管理サーバ１２から、赤外線送信装置２０が配信コンテンツデータへアクセスするための許可及び赤外線送信装置２０を識別する番号またはアドレスを取得する。
赤外線送信装置２０は、ネットワークを経由して、上位管理サーバ１０から暗号化されたコンテンツを取得し、コンテンツ記憶装置２３に保存する。配信データ処理装置２２は、配信コンテンツの放送スケジュールにそって、各配信コンテンツを赤外線データ配信プロトコルに合うフォーマットに変換する。変換された配信データが赤外線送信インターフェイス２４で送信される。
携帯受信端末３０は、赤外線送信装置２０から赤外線で配信されるコンテンツを受信するために、まずワイヤレス通信を備えるネットワークを経由して、上位管理サーバ１０の携帯受信端末登録・認証・管理サーバ１５へ登録する必要がある。登録時には、携帯電話の電話番号または通信機器のMACを利用することができる。登録と認証が成功した場合、携帯受信端末登録・認証・管理サーバ１５が暗号化された配信コンテンツを解読するための暗号キーと閲覧の許可を発行し、必要があった場合、暗号キーを定期的に変更、発行することもある。
携帯受信端末３０には、コンテンツ処理装置３４が、上位管理サーバ１０から取得した暗号キーをもちいて、赤外線受信インターフェイス３１から受信したコンテンツデータを解読する。
携帯受信端末３０では、解読されたコンテンツデータはコンテンツ記憶装置３３に保存される。携帯受信端末の利用者はコンテンツ記憶装置３３に保存されたコンテンツ関連情報を選択し、表示させる。
赤外線送信装置２０の設置場所は、電車や飛行機などの移動体内部に設置することが可能である。その場合、ワイヤレス通信機能を備える通信手段でネットワークを経由し、上位管理サーバにアクセスでき、配信コンテンツ関連情報や関連管理情報などを伝送できる。
配信コンテンツの暗号化と送信装置２０及び携帯受信端末３０の登録・認定は、情報配信システムのセキュリティ確保と有料情報配信サービスの課金を実現させるための仕組みである。
上記の実施形態以外に、赤外線送信装置からコンテンツサーバへのアクセスをし易くするために、図２で示したように、コンテンツ管理サーバ５０を上位管理サーバ６０と分離する形にすることも可能である。
図２に示した配置、構成によって、大量のコンテンツ関連情報を頻繁に送受信することによるネットワーク上の不必要なトラフィックが増加することを回避することができる。
上位管理サーバ６０は、コンテンツの暗号化処理を直接行わないで、暗号化処理に必要な認証管理サービスを提供する。上位管理サーバ６０の暗号管理マネージャ６１から送られた暗号化処理のための暗号キーを用いて、コンテンツ管理サーバ５０の暗号処理マネージャ５１でコンテンツの暗号化処理を行う。
コンテンツの入力及び更新などの作業は、コンテンツ管理マネージャ５２を経由して、コンテンツ管理クライアント９０で実現され、入力または更新されたコンテンツがコンテンツサーバ５３に保存される。
また、応用目的に応じて、図１と図２で示したシステムを有機的に融合し、より柔軟なシステムの構築も可能である。
【実施例１】
【０００７】
図３は，ホットスポット、あるいは駅、または公共交通機関の車内などで、本発明の基本構成を用いるコンテンツ配信システムを実施する場合の1例を示すブロック図である。
上位管理サーバ１００は、赤外線送信装置１０５と携帯端末１０６の登録・認証を管理し、配信コンテンツの暗号化処理、その暗号化処理と解読に必要な暗号キーの発行と赤外線送信装置１０５のアクセス認定管理を行う。
コンテンツ管理サーバ１０１は、配信用のコンテンツ関連情報の蓄積と管理を行う。コンテンツ入力及び放送管理クライアント１０３は、コンテンツに関する情報の入力・更新と放送管理などを実現する。
コンテンツ入力及び放送管理クライアント１０３は、ネットワークを経由し、放送コンテンツの入力・更新及び放送配信スケジュールの放送管理をおこなう。上位管理サーバ１００は、配信スケジュールに応じて、コンテンツ管理サーバ１０１に蓄積されたコンテンツから必要なコンテンツ情報を選んで、コンテンツの暗号化処理を行い、配信用のデータを作成する。
上位管理サーバの認証を受けた赤外線送信装置１０５は、ネットワークを経由して、上位管理サーバ１００から配信用コンテンツデータを受信し、単方向赤外線データ配信方式で配信コンテンツデータを配信する。
単方向赤外線データ配信方式を備える携帯端末１０６は、赤外線送信装置１０５から発信される配信コンテンツデータを受信し、事前に携帯端末１０６の非赤外線のワイヤレス通信経路で上位管理サーバ１００から発行されたコンテンツの解読のための暗号キーとコンテンツの閲覧のためのアクセス権限で、受信されたコンテンツを、解読・閲覧する。また、特別料金で閲覧できるコンテンツの購読について、課金のレコードを作成し、携帯端末１０６の非赤外線のワイヤレス通信経路で、定期的に上位管理サーバ１００に送信する。
【実施例２】
【０００８】
図４は，本発明の基本構成を用いるショッピングモールなど、細かな配信エリアを密集的に配置する場合の実施例の一つを示すブロック図である。
上位管理サーバ２００は、商品販売情報などの保存と管理を実現するコンテンツ管理サーバ２０２の登録・認証を管理する。また、暗号処理マネージャ２０１による配信コンテンツの暗号化処理に必要な暗号キーの発行と管理を行う。
コンテンツ管理サーバ２０２は、配信用の商品販売情報の蓄積と管理を行、赤外線送信装置マネージャによって、赤外線送信装置２０４を管理し、また、暗号処理マネージャ２０１によって、配信コンテンツの暗号化処理を行う。
商品販売情報入力及び放送管理クライアント２０３は、商品販売情報入力・更新と配信スケジュールの配信管理を行い、商品販売情報関連情報をコンテンツ管理サーバ２０２に入力し、コンテンツ管理サーバ２０２に貯蓄させる。
配信スケジュールによって、各赤外線配信装置２０５に対して、コンテンツ管理サーバ２０２に蓄積されるコンテンツから選ばれたコンテンツ情報を、上位管理サーバから取得した暗号キーで、暗号処理マネージャ２０１によって暗号化処理を行い、配信用のコンテンツデータを作成する。
赤外線送信装置２０５は、社内ネットワーク２０４を経由して、コンテンツ管理サーバ２０２から配信用のコンテンツデータを受信し、単方向赤外線データ配信方式で配信用のコンテンツデータを配信する。
コンテンツ管理サーバ２０２は、上位管理サーバ２００に登録されることから、赤外線送信装置２０５の上位管理サーバ２００への登録・認定は不要となる。
事前に上位管理サーバ２００に登録した単方向赤外線データ配信方式の受信機能を有する携帯受信端末２０６は、赤外線送信装置２０５から発信される配信コンテンツデータを受信し、上位管理サーバ２００から取得した暗号キーと認証でこの配信コンテンツデータを解読・閲覧する。
図５は、実施例１と実施例２において、単方向赤外線データ配信方式を有する赤外線受信インターフェイスを搭載する携帯受信端末の実施例を示すブロック図である。
上記の携帯端末は、携帯電話または赤外線以外のワイヤレス通信機能を有するPDAである。
単方向赤外線データ配信方式を有する赤外線受信インターフェイスを搭載する携帯受信端末３００には、単方向赤外線データ配信方式で配信されるコンテンツデータを受信するために、基本構成として、単方向赤外線配信方式を有する赤外線受信インターフェイス３０１と、コンテンツ処理装置３０２と、コンテンツ記憶装置３０３と、コンテンツ表示装置３０５と、非赤外線のワイヤレス通信手段をもつネットワーク通信インターフェイス３０４と、を装備する。
携帯受信端末３００には、赤外線受信インターフェイス３０１が、単方向赤外線データ配信方式で配信されているデータを受信できる機能を備える。
携帯受信端末３００には、コンテンツ処理装置３０２が、赤外線受信インターフェイス３０１で受信した暗号化されるコンテンツデータを解読する作業を行う。また、コンテンツ関連情報の分類・保存作業も行う。
携帯受信端末３００のコンテンツ記憶装置３０３には、解読・分類されたコンテンツ関連情報が保存される。
携帯受信端末３００には、コンテンツ表示装置３０５が、コンテンツ関連情報及び操作状態などを表示する。
携帯受信端末３００には、ネットワーク通信インターフェイス３０４が、赤外線通信以外のワイヤレス通信手段でネットワークにアクセスできるものである。
携帯受信端末３００は、赤外線通信以外のネットワーク通信インターフェイス３０４を用いて、上位管理サーバ１００又は２００から認証や受信許可及びコンテンツ解読ための暗号キーの発行を取得し、または、有料サービスを受ける場合、課金レコードを、このインターフェイス３０４で上位管理サーバの課金システムに送信する。
携帯受信端末３００の操作性向上のため、ユーザの操作と閲覧コンテンツの相関性を用いるユーザ動作の予測機能を搭載する。この機能搭載によって、多数のコンテンツから少ない操作で、閲覧したいコンテンツの迅速な検索と表示を実現する。また、この機能の搭載によって、携帯受信端末のカスタマイズ化を実現するための方法を提供した。
【図面の簡単な説明】
【０００９】
【図１】単方向赤外線データ配信方式をもちいるコンテンツデータ配信システムの基本構成１の原理図である。
【図２】単方向赤外線データ配信方式をもちいるコンテンツデータ配信システムの基本構成２の原理図である。
【図３】単方向赤外線データ配信方式とシステムの実施の形態１の構成例である。
【図４】単方向赤外線データ配信方式とシステムの実施の形態２の構成例である。
【図５】単方向赤外線データ配信方式の受信機能を搭載する携帯端末の構成例。
【符号の説明】
【００１０】
１０            上位管理サーバ
１１            コンテンツ関連マネージャ
１２            送信装置認証管理サーバ
１３            コンテンツサーバ
１４            暗号管理・処理マネージャ
１５            携帯受信端末の登録・認証・管理サーバ
２０            赤外線送信装置
２１            ネットワーク通信インターフェイス
２２            配信データ処理装置
２３            コンテンツ記憶装置
２４            赤外線送信インターフェイス
３０            携帯受信端末
３１            赤外線受信インターフェイス
３２            ネットワーク通信インターフェイス
３３            コンテンツ記憶装置
３４            コンテンツ処理装置
３５            コンテンツ表示装置
４０            コンテンツ管理クライアント
５０            コンテンツ管理サーバ
５１            暗号処理マネージャ
５２            コンテンツ関連マネージャ
５３            コンテンツサーバ
６０            上位管理サーバ
６１            暗号管理マネージャ
６２            携帯受信端末の登録・認証・管理サーバ
６３            送信装置認証管理サーバ
７０            赤外線送信装置
８０            携帯受信端末
１００            上位管理サーバ（登録・認証・暗号）
１０１            コンテンツ管理サーバ
１０３            コンテンツ入力及び放送管理クライアント
１０４            インターネット
１０５            赤外線送信装置
１０６            携帯受信端末
２００            上位管理サーバ（データ配信認定と許可管理サーバ）
２０１            暗号処理マネージャ
２０２            コンテンツ管理サーバ
２０３            商品販売情報入力及び放送管理クライアント
２０４            ネットワーク
２０５            赤外線送信装置
２０６            携帯受信端末
２０７            インターネット
３００            携帯受信端末
３０１            赤外線受信インターフェイス
３０２            コンテンツ処理装置
３０３            コンテンツ記憶装置
３０４            ネットワーク通信インターフェイス
３０５            コンテンツ表示装置
【図１】
2006020008.tif 000003
【図２】
2006020008.tif 000004
【図３】
2006020008.tif 000005
【図４】
2006020008.tif 000006
【図５】
2006020008.tif 000007